(57)【特許請求の範囲】
【請求項１】
制御手段と、
前記制御手段と情報通信可能に接続され、ユーザ宅の周囲に設けられた道路を通行する人を検知した場合に、通行人検知データを前記制御手段に伝送する通行人検知手段と、
前記ユーザ宅に設けられるとともに、前記制御手段と協働し、前記通行人検知手段による通行人検知データに基づいて、前記通行人に関連せず、かつユーザの宅外への外出行動を促すメッセージを生成して発信可能に設定されたメッセージ発信手段と、を備えることを特徴とする外出契機提供システム。
【請求項２】
請求項１に記載の外出契機提供システムにおいて、
前記メッセージ発信手段は、前記制御手段と協働し、前記通行人検知手段による通行人検知データに基づいて、前記通行人に関連せず、かつユーザの宅外への外出行動を控えるメッセージを生成して発信可能に設定されていることを特徴とする外出契機提供システム。
【請求項３】
請求項２に記載の外出契機提供システムにおいて、
前記通行人検知手段は、
前記道路を通行する人が、前記ユーザとの対面が許可された人であるかどうかを認識する認識手段、を含んで構成されており、
前記道路を通行する人が、前記認識手段によって、前記ユーザとの対面が許可された人であると認識された場合に、前記メッセージ発信手段によって前記外出行動を促すメッセージが前記ユーザに発信され、
前記道路を通行する人が、前記認識手段によって、前記ユーザとの対面が許可された人でないと認識された場合に、前記メッセージ発信手段によって前記外出行動を控えるメッセージが前記ユーザに発信されることを特徴とする外出契機提供システム。
【請求項４】
請求項１〜３のいずれか一項に記載の外出契機提供システムにおいて、
前記メッセージ発信手段は、前記ユーザによってコミュニケーションキャラクターとして認識されるメッセージ発信装置を含んで構成されていることを特徴とする外出契機提供システム。
【請求項５】
請求項１〜４のいずれか一項に記載の外出契機提供システムにおいて、
前記メッセージ発信手段は、無作為に、外出行動を促すメッセージを生成して発信可能に設定されていることを特徴とする外出契機提供システム。
【発明の詳細な説明】
【技術分野】
【０００１】
本発明は、外出契機提供システムに関する。
【背景技術】
【０００２】
近年、生活が不活発であることを原因として、心身の機能が全体的に低下する「生活不活発病」の増加が問題となっている。生活不活発病は、「廃用症候群」とも呼ばれる。生活不活発病は、独居高齢者や、被災地の仮設住宅入居者などの特定の環境にある人に多く発生することが知られている。すなわち、生活不活発病が発生しやすい状況があると考えられる。
一般に、生活不活発病の対策としては、軽い運動や日常的な生活行動を継続して実施することが有効である。しかし、生活不活発傾向にある人は、そのような対策に関する知識を持っていたとしても、そもそも行動することに消極的であるため、自発的な対策行動をとりにくい。また、生活不活発病が発生しやすい状況においては、第三者からの支援が適切なタイミングで受けにくいという問題もある。
そこで、生活不活発傾向にある人や、生活不活発病が発生しやすい状況にある人、すなわち利用者の行動履歴情報に基づいて、適切な内容とタイミングで、利用者が実行する可能性の高い行動を提案する情報処理装置に係る技術が知られている（例えば、特許文献１参照）。
【先行技術文献】
【特許文献】
【０００３】
【特許文献１】特開２０１５−４９８２５号公報
【発明の概要】
【発明が解決しようとする課題】
【０００４】
ところで、従来技術においては情報処理装置と利用者が携行する携帯端末との間で情報のやり取りを行い、利用者の外出予定を確認してから、利用者に提案する行動を選定している。すなわち、情報処理装置が、利用者に外出行動（家の外に出る行為）を提案するためには、利用者が携帯端末を常に携行し、利用者が携帯端末に対して外出予定を予め記憶させておくという条件を満たさなければならない。そのため、現実的に考えると、生活不活発傾向にある人や、生活不活発病が発生しやすい状況にある人にとって外出行動は高いハードルとなり得る。
また、このように生活不活発傾向にある人の場合、コミュニケーションの場が少ないことが、生活不活発傾向をさらに強めてしまうことが考えられる。
【０００５】
本発明は上記課題に鑑みてなされたものであり、生活不活発傾向にある、または生活不活発病が発生しやすい状況にあるユーザが、より外出行動を起こしやすくしつつ、コミュニケーションの場を提供することが可能な外出契機提供システムを提供することを目的とする。
【課題を解決するための手段】
【０００６】
請求項１に記載の発明は、外出契機提供システムであって、例えば図１〜図４に示すように、
制御手段（制御装置１０）と、
前記制御手段と情報通信可能に接続され、ユーザ宅１の周囲に設けられた道路２ａ，２ｂ，２ｃを通行する人Ｐを検知する通行人検知手段（例えば、制御装置１０および通行人検知装置１１）と、
前記ユーザ宅１に設けられるとともに、前記制御手段と協働し、前記通行人検知手段による通行人検知データに基づいて、前記通行人Ｐに関連せず、かつユーザＵの宅外への外出行動を促すメッセージを生成して発信可能に設定されたメッセージ発信手段（例えば、制御装置１０およびメッセージ発信装置１２）と、を備えることを特徴とする。
【０００７】
請求項１に記載の発明によれば、通行人検知手段によって、ユーザ宅１の周囲に設けられた道路２ａ，２ｂ，２ｃを通行する人Ｐを検知することができる。そして、制御手段と協働し、通行人検知手段による通行人検知データに基づいて、メッセージ発信手段からユーザ宅１内にいるユーザＵに対して、通行人Ｐに関連せず、かつユーザＵの宅外への外出行動を促すメッセージを生成して発信することができる。
すなわち、ユーザＵに発信されるメッセージが、通行人Ｐに関連しないものであるため、ユーザＵを、通行人Ｐの有無を気にさせずに宅外に出すように仕向けて、通行人Ｐと遭遇させることができる。これにより、ユーザＵが生活不活発傾向にある場合に、外出行動を起こしやすくしつつ、コミュニケーションの場を提供することができる。その結果、生活不活発傾向にある、または生活不活発病が発生しやすい状況にあるユーザＵが、生活不活発病になる、または症状を悪化させるリスクを軽減できる。
【０００８】
請求項２に記載の発明は、例えば図１〜図４に示すように、請求項１に記載の外出契機提供システムにおいて、
前記メッセージ発信手段（例えば、制御装置１０およびメッセージ発信装置１２）は、前記制御手段と協働し、前記通行人検知手段（例えば、制御装置１０および通行人検知装置１１）による通行人検知データに基づいて、前記通行人Ｐに関連せず、かつユーザＵの宅外への外出行動を控え
るメッセージを生成して発信可能に設定されていることを特徴とする。
【０００９】
請求項２に記載の発明によれば、制御手段と協働し、通行人検知手段による通行人検知データに基づいて、メッセージ発信手段からユーザ宅１内にいるユーザＵに対して、通行人Ｐに関連せず、かつユーザＵの宅外への外出行動を控えるメッセージを生成して発信することができる。
これによって、外出行動を促すメッセージと、外出行動を控えるメッセージと、を織り交ぜてユーザＵに発信できるので、外出行動を促すメッセージだけが強調されることがなくなる。例えば発信されるメッセージが外出行動を促すものだけであると、ユーザＵに対して外出行動に係るプレッシャーが大きく伸し掛かる場合があるが、外出行動を控えるメッセージも発信されれば、そのプレッシャーを和らげることができる。その結果、ユーザＵに対して、外出行動を起こそうとする意欲を湧かせやすくすることができる。
【００１０】
請求項３に記載の発明は、例えば図１〜図４に示すように、請求項２に記載の外出契機提供システムにおいて、
前記通行人検知手段（例えば、制御装置１０および通行人検知装置１１）は、
前記道路２ａ，２ｂ，２ｃを通行する人Ｐが、前記ユーザＵとの対面が許可された人であるかどうかを認識する認識手段（例えば、制御装置１０および読取部１１ｂ・ＩＣタグ１１ｃ等）、を含んで構成されており、
前記道路２ａ，２ｂ，２ｃを通行する人Ｐが、前記認識手段によって、前記ユーザＵとの対面が許可された人であると認識された場合に、前記メッセージ発信手段（例えば、制御装置１０およびメッセージ発信装置１２）によって前記外出行動を促すメッセージが前記ユーザＵに発信され、
前記道路２ａ，２ｂ，２ｃを通行する人Ｐが、前記認識手段によって、前記ユーザＵとの対面が許可された人でないと認識された場合に、前記メッセージ発信手段によって前記外出行動を控えるメッセージが前記ユーザＵに発信されることを特徴とする。
【００１１】
請求項３に記載の発明によれば、道路２ａ，２ｂ，２ｃを通行する人が、認識手段によって、ユーザＵとの対面が許可された人であると認識された場合に、外出行動を促すメッセージがメッセージ発信手段によってユーザＵに発信されるので、ユーザＵとの対面が許可された人（例えば面識のある比較的コミュニケーションを取りやすい人）が通行した時に、ユーザＵに対して外出行動を促すことができる。
また、道路２ａ，２ｂ，２ｃを通行する人が、認識手段によって、ユーザＵとの対面が許可された人でないと認識された場合に、外出行動を控えるメッセージがメッセージ発信手段によってユーザＵに発信されるので、例えばユーザＵとの対面が許可されていない人（例えば面識がないか、比較的コミュニケーションを取りづらい人）が通行した時に、ユーザＵに対して外出行動を控えさせることができる。
これによって、ユーザＵとの対面が許可されていない人をユーザＵに対面させることを防ぎつつ、対面が許可された人をユーザＵに対面させることができるので、例えば対面が許可されていない人をユーザＵに無理やり対面させるようなことが無くなる。したがって、ユーザＵに対して強制性を感じさせないようにして外出行動を促すことができる。
【００１２】
請求項４に記載の発明は、例えば図３に示すように、請求項１〜３のいずれか一項に記載の外出契機提供システムにおいて、
前記メッセージ発信手段は、前記ユーザＵによってコミュニケーションキャラクターとして認識されるメッセージ発信装置１２を含んで構成されていることを特徴とする。
【００１３】
請求項４に記載の発明によれば、メッセージ発信手段は、ユーザＵによってコミュニケーションキャラクターとして認識されるメッセージ発信装置１２を含んで構成されているので、ユーザＵの、メッセージ発信装置１２に対する親近感が増すことになる。そのため、メッセージ発信装置１２から発信されるメッセージは、ユーザＵにとって影響力の高いものとなり、ユーザＵが、より外出行動を起こしやすくなる。
【００１４】
請求項５に記載の発明は、請求項１〜４のいずれか一項に記載の外出契機提供システムにおいて、
前記メッセージ発信手段（例えば、制御装置１０およびメッセージ発信装置１２）は、無作為に、外出行動を促すメッセージを生成して発信可能に設定されていることを特徴とする。
【００１５】
請求項５に記載の発明によれば、メッセージ発信手段は、無作為に、外出行動を促すメッセージを生成して発信可能に設定されているので、決まりきった時間に外出行動を促すメッセージを発信することが無くなり、ユーザＵに対して、外出行動を促すメッセージの発信がルーチン化していると感じさせないようにすることができる。そのため、ユーザＵは、発信されるメッセージを重視し、耳を傾けるようになるので、結果的に、ユーザＵに対して、外出行動を起こそうとする意欲を湧かせやすくすることができる。
また、ユーザ宅１のある場所が人通りの少ない道路２ａ，２ｂ，２ｃに囲まれた場所である場合には、このように無作為にメッセージが発信されることで、外出契機を増やすことができる。
【発明の効果】
【００１６】
本発明によれば、生活不活発傾向にある、または生活不活発病が発生しやすい状況にあるユーザが、より外出行動を起こしやすくしつつ、コミュニケーションの場を提供することができる。その結果、生活不活発傾向にある、または生活不活発病が発生しやすい状況にあるユーザが、生活不活発病になる、または症状を悪化させるリスクを軽減できる。
【図面の簡単な説明】
【００１７】
【図１】外出契機提供システムの構成を示す図である。
【図２】ユーザ宅とその周辺を示す図である。
【図３】通行人検知手段の一例を示す図である。
【図４】外出契機提供システムの動作例を示すフローチャートである。
【発明を実施するための形態】
【００１８】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００１９】
図１，図２において符号１は、生活不活発傾向にある、または生活不活発病が発生しやすい状況にあるユーザＵが居住するユーザ宅を示す。このユーザ宅１は、複数の道路と、この道路によって区画された複数の宅地と、を備えたコミュニティ（地域・住宅地）に設けられている。図２は、そのコミュニティの一部を表している。
ユーザ宅１の周囲には、通行人Ｐが通行する道路があり、道路は、ユーザ宅１前を左右に横切る第一道路２ａと、この第一道路２ａと交差する第二道路２ｂ、第三道路２ｃと、からなる。ユーザ宅１が建築された敷地は、第一道路２ａとこれに交差する第二道路２ｂによって区画されている。
なお、本実施形態では、ユーザ宅１周囲が以上のように構成されているが、これに限られるものではない。
【００２０】
各道路２ａ，２ｂ，２ｃまたは各道路２ａ，２ｂ，２ｃに接する土地の道路２ａ，２ｂ，２ｃ側縁部には、道路脇設置物３ａ〜３ｅが設置されている。本実施形態における道路脇設置物３ａ〜３ｅは、植物を植栽するためのプランターであり、ユーザ宅１の敷地側を含む第一道路２ａ沿いと、第二道路２ｂ沿いと、第三道路２ｃ沿いのそれぞれに設置されている。
なお、本実施形態では道路脇設置物３ａ〜３ｅとしてプランターが採用されているが、これに限られるものではない。例えば、電柱や、街路樹、街灯、ガードレール、道路標識、郵便ポスト等であってもよい。
【００２１】
本実施形態における外出契機提供システムは、以上のように構成されたコミュニティに対して適用されている。
外出契機提供システムは、図１に示すように、通行人検知手段と、メッセージ発信手段と、を備えて構成されている。また、この外出契機提供システムは、制御装置１０によってシステム全体の動作が制御されている。
制御装置１０は、ＣＰＵ、記憶部（ＲＡＭ、ＲＯＭ、不揮発性メモリ、ハードディスクドライブ等）、通信ユニット、入出力インターフェース、信号処理回路、表示制御回路等を有するコンピューター（またはサーバ）である。
【００２２】
通行人検知手段は、ユーザ宅１の周囲に設けられた道路２ａ，２ｂ，２ｃを通行する人Ｐを検知するものであり、検知部１１ａと、読取部１１ｂと、を有する通行人検知装置１１を含んで構成されている。
通行人検知装置１１は、制御装置１０と情報通信可能に接続されて（例えばインターネットやＬＡＮ等の電気通信回線による）、この制御装置１０と共に通行人検知手段を構成している。そして、通行人検知装置１１によって通行人Ｐが検知された場合の情報は、制御装置１０に伝送されることになる。
【００２３】
通行人検知装置１１は、例えば図３に示すように、プランターである道路脇設置物３ａ〜３ｅを利用して、道路２ａ，２ｂ，２ｃ脇に設置されている。すなわち、本実施形態の通行人検知装置１１は、検知部１１ａと読取部１１ｂの双方が一つの筐体内に収まった状態に形成されて、プランター３ａ〜３ｅに設置されている。
なお、道路脇設置物３ａ〜３ｅがプランターでない場合には、その設置状態が、図３に示すものとは異なるが、道路脇設置物３ａ〜３ｅの種類に応じて適宜変更すればよい。すなわち、通行人検知装置１１は、道路２ａ，２ｂ，２ｃ脇の、通行人Ｐを検知可能な位置に設けられていればよい。
【００２４】
検知部１１ａは、例えば赤外線や超音波等による人感センサーであり、道路２ａ，２ｂ，２ｃを通行する全ての人（通行人Ｐ）を検知することができる。
読取部１１ｂは、通行人Ｐが所持するＩＣタグ１１ｃに記憶された情報を読み取るためのものである。なお、ＩＣタグ１１ｃには、通行人Ｐを識別可能な個人認証情報が記憶されている。すなわち、これら読取部１１ｂおよびＩＣタグ１１ｃが、通行人ＰがユーザＵとの対面が許可された人であるかどうかを認識する認識手段として機能する。
【００２５】
本実施形態のＩＣタグ１１ｃとしては、例えば、ＵＨＦ帯を使用した電波方式のＲＦＩＤ（Radio Frequency Identification）タグが用いられており、通行人Ｐの所持品に含まれている。このＩＣタグ１１ｃは、例えばカードやアクセサリー等の形式で所持されているか、通行人Ｐが普段持ち歩く持ち物（例えば、携帯端末や腕時計、杖、カバン等）に内蔵されている。
読取部１１ｂは、送信アンテナおよび受信アンテナを有する。この読取部１１ｂの電波は、例えば１秒間に複数回電波を発信してＩＣタグ１１ｃの読み取り処理を行う。なお、上述のようにＵＨＦ帯を使用した電波方式であるため、比較的長い距離でＩＣタグ１１ｃの読み取り処理を行うことができる。
なお、通行人ＰがユーザＵとの対面が許可された人であるかどうかを認識する認識手段として、本実施形態では読取部１１ｂおよびＩＣタグ１１ｃを挙げたが、これに限られるものではない。
【００２６】
以上の通行人検知装置１１は、二種類の検知方法によって通行人Ｐを検知している状態となっている。検知部１１ａを利用した検知方法では、道路２ａ，２ｂ，２ｃを通行する全ての人を検知できるため、通行人Ｐの検知回数が多くなり、その分、外出契機を多く創出できる。また、読取部１１ｂを利用した検知方法では、通行人Ｐが誰であるか、個人を特定することができる。なお、ＩＣタグ１１ｃを所持する通行人Ｐは、ユーザＵと同じコミュニティに属する人であるか、ユーザＵによってＩＣタグ１１ｃの所持を承認された人である。ＩＣタグ１１ｃを所持する人としては、例えば、コミュニティ外に住む家族・友人や、コミュニティ内の荷物等の配達を担当する配達員を始めとする定期的に通行する人などが挙げられる。
このように二種類の検知方法によって通行人Ｐを検知すれば、特定の個人のみを対象とした外出契機の提供と、不特定多数の通行人Ｐを対象とした外出契機の提供を行うことができるので、生活不活発傾向にあるユーザＵの症状に合わせて検知対象の設定を適宜変更できる。
なお、本実施形態では、このように二種類の検知方法によって通行人Ｐの検知を行うものとしたが、これに限られるものではない。すなわち、少なくとも検知部１１ａと読取部１１ｂのいずれか一方によって通行人Ｐを検知できればよく、より好ましくは、読取部１１ｂによって通行人Ｐを検知できればよい。
【００２７】
メッセージ発信手段は、制御装置１０とメッセージ発信装置１２とによって構成されており、制御装置１０は、通行人検知装置１１から伝送された通行人Ｐの検知情報に基づいて、メッセージ発信装置１２に対して外出契機に係る情報を送信することができる。
メッセージ発信装置１２は、通行人検知手段による通行人検知データに基づいて、外出契機に係るメッセージを、ユーザＵに対して発信することができる。
なお、本実施形態において、メッセージ発信装置１２は一人のユーザＵにのみ対応したものとして説明しているが、複数のユーザＵに対応すべく、複数のメッセージ発信装置１２が用いられるものとしてもよい。この場合、制御装置１０によって包括的に制御することができる。
【００２８】
メッセージ発信装置１２は、ユーザ宅１に設けられている。
このメッセージ発信装置１２は、ユーザＵによってコミュニケーションキャラクターとして認識されるものであり、図１に示すように、例えばロボット型に形成されている。
ロボット型に形成される場合は、目や口のある頭部や腕等を備えることによって親近感を増すことができ、車輪や駆動装置等を備えることによって走行可能とすることができる。
【００２９】
メッセージ発信装置１２は、制御装置１０と情報通信可能に接続されており（例えばインターネットやＬＡＮ等の電気通信回線による）、制御装置１０の制御に基づいて生成されたメッセージを発信するための音声出力部１２ａ（スピーカー）と、複数種類のメッセージが多数記憶された記憶部と、を含んで構成されている。
記憶部に記憶されるメッセージには、第一メッセージと、第二メッセージと、第三メッセージと、が含まれている。
また、これらのメッセージは音声出力部１２ａから出力される。本実施形態におけるメッセージ発信装置１２は、上述ようにロボット型であるため、音声出力部１２ａは、ロボットの口に相当する部分またはその付近に設けられることが好ましいが、これに限られるものではない。
【００３０】
なお、本実施形態における外出行動とは、単にユーザＵが宅外に出ることを意味する場合の他に、宅内の現在いる場所から移動させることも意味する場合がある。
すなわち、生活不活発傾向にある人の、その症状の程度によって、単に立ち上がらせるだけでも有効な場合がある。例えば生活不活発傾向にある高齢者は、一日のうちで立ち上がらない時間が長ければ長いほど、徐々に歩行が困難になるケースがある。したがって、本実施形態における外出行動とは、狭義には「ユーザＵを宅外から出すこと」を意味するが、広義には「ユーザＵを現在いる場所から移動させること」も意味する。つまり、ユーザＵの生活不活発傾向の程度・症状によって適宜変更されるものである。
【００３１】
第一メッセージは、外出契機を提供するためのものである。より詳細には、通行人Ｐに関連せず、かつユーザＵの宅外への外出行動を促すためのものであり、通行人Ｐが通行人検知装置１１によって検知された時に、メッセージ発信装置１２から発信される。以下に、外出行動を促す第一メッセージの一例を挙げる。
（１）植物への水やりを促すメッセージ
（２）庭の草むしりを促すメッセージ
（３）家庭菜園での収穫を促すメッセージ
（４）洗濯物の取り込みを促すメッセージ
（５）散歩を促すメッセージ
（６）買い物を促すメッセージ
（７）映画鑑賞等の趣味のために外出することを促すメッセージ
（８）花見・月見等の風習のために外出することを促すメッセージ
（９）コミュニティ内で催される年中行事等の催事への参加を促すメッセージ
（１０）天候の確認を促すメッセージ
なお、第一メッセージはこれらの例に限られるものではなく、その他にも様々なメッセージが、メッセージ発信装置１２の記憶部に記憶されているものとする。また、ユーザＵ自身やその家族、またはコミュニティ（自治体やその他の行政機関）がメッセージの登録設定を行うことも可能となっている。
【００３２】
上述したように、生活不活発病には、個人によってその症状に程度の差がある。第一メッセージは、比較的症状の軽い人に対するメッセージである。
すなわち、ユーザＵにとって交際しやすい人が、通行人検知装置１１の読取部１１ｂによって検知された場合に、メッセージ発信装置１２は、以上の第一メッセージを発信することができる。このようにユーザＵに発信される第一メッセージが、通行人Ｐに関連しないものであるため、ユーザＵを、通行人Ｐの有無を気にさせずに宅外に出すように仕向けて、通行人と遭遇させることができる。
ユーザＵは、第一メッセージに呼応して外出行動を起こせば、自身が交際しやすい人（比較的コミュニケーションを取りやすい人）とのコミュニケーションの場の提供を受けることができる。そして、ユーザＵは、第一メッセージに呼応して外出すれば、交際しやすい人とのコミュニケーションの場が得られることを学習できるので、外出行動を起こすことが徐々に億劫ではなくなり、結果的に、生活不活発傾向の解消に繋がることになる。
【００３３】
第二メッセージは、通行人Ｐに関連せず、かつユーザＵの宅外への外出行動を控えさせるためのものであり、通行人Ｐが通行人検知装置１１によって検知された時に、メッセージ発信装置１２から発信される。以下に、外出行動を控えさせる第二メッセージの一例を挙げる。
（１）ロボット型のメッセージ発信装置１２との日常会話を促すメッセージ
（２）食事の献立を検討させるメッセージ
（３）飲み物を飲むことを勧めるメッセージ（ティータイム・コーヒーブレイク）
（４）テレビ番組の情報を伝えるメッセージ
（５）家族や親戚、友人に電話することを促すメッセージ
（６）外出を思い留まらせるメッセージ
（７）宅内での家事を行うことを推奨するメッセージ
なお、第二メッセージはこれらの例に限られるものではなく、その他にも様々なメッセージが、メッセージ発信装置１２の記憶部に記憶されているものとする。また、ユーザＵ自身やその家族、またはコミュニティ（自治体やその他の行政機関）がメッセージの登録設定を行うことも可能となっている。
【００３４】
このような第二メッセージは、読取部１１ｂによって通行人Ｐが誰であるかを特定できる場合や、通行人検知装置１１によって検知された人が不審者であることが予想される場合に有効である。
不審者であるか否かの判断は、例えば、ユーザ宅１付近の道路脇設置物３ａ，３ｂに設置された通行人検知装置１１による検知動作が長時間にわたって続くことで判断できる。また、その判断は制御装置１０によって行われる。
【００３５】
上述したように、生活不活発病には、個人によってその症状に程度の差がある。また、人には交際しやすい人と、比較的交際しにくい人がいることは当然のことである。そのため、（６），（７）に挙げた第二メッセージは、比較的症状の軽い人に対するメッセージである。
すなわち、ユーザＵにとって交際しにくい人が、通行人検知装置１１の読取部１１ｂによって検知された場合に、メッセージ発信装置１２は、（６），（７）に挙げた第二メッセージを発信することができる。ユーザＵの意思で外出行動を控える場合とは異なり、ユーザＵは自然に外出行動を控えることができるので、罪悪感が心に生じたり、引け目を感じたりすることが無くなる。罪悪感が心に生じたり、引け目を感じたりしてしまうと、生活不活発傾向を強めてしまう場合があるため、（６），（７）に挙げた第二メッセージは、生活不活発傾向の解消を目的として発信される。つまり、第二メッセージの内容は、ユーザＵに対して外出行動を控えることを直接的に伝えないものであることが望ましい。
一方、（１）〜（５）に挙げた第二メッセージは、生活不活発病の症状が比較的重い人にとっては、体を動かす何らかの行動を起こすための契機となり得る。すなわち、（１）〜（５）に挙げた第二メッセージも、生活不活発傾向の解消を目的として発信される。
また、このように外出行動を控える第二メッセージを発信できれば、この第二メッセージと、外出行動を促す第一メッセージ（第三メッセージ）と、を織り交ぜてユーザＵに発信できるので、外出行動を促す第一メッセージ（第三メッセージ）だけが強調されることがなくなる。
【００３６】
第三メッセージは、外出契機を提供するためのものである。より詳細には、ユーザＵの宅外への外出行動を無作為に促すためのものであり、通行人検知装置１１の検知動作に関わりなく、メッセージ発信装置１２から無作為に発信される。
第三メッセージの内容は、第一メッセージと同様である。
すなわち、第一メッセージと異なる点は、メッセージが発信されるタイミングが無作為（ランダム）に設定されていることである。第三メッセージが発信されるタイミングは、例えば、適宜設定されたランダムな時間間隔に基づくものでもよいし、通行人検知装置１１による一定の検知回数に基づくものでもよい。
【００３７】
上述したように、生活不活発病には、個人によってその症状に程度の差がある。第三メッセージは、比較的症状の軽い人に対するメッセージである。
すなわち、メッセージ発信装置１２は、通行人Ｐの有無に関わりなく、事前に設定された無作為なタイミングで、以上の第三メッセージを発信することができる。
このように第三メッセージを生成して発信できれば、決まりきった時間に外出行動を促すメッセージが発信されることが無くなり、ユーザに対して、外出行動を促すメッセージの発信がルーチン化していると感じさせないようにすることができる。
【００３８】
メッセージ発信装置１２は、図１に示すように、音声入力部１２ｂをさらに備える。
音声入力部１２ｂは、宅外に移動したユーザの声を集音するマイクであり、ユーザ宅１が建築された敷地内に設けられている。例えば本実施形態では、プランターである道路脇設置物３ａ，３ｂのそれぞれに設置された通行人検知装置１１のうち、いずれか一方の通行人検知装置１１に備えられている。
音声入力部１２ｂは、宅外に移動した時に通行人Ｐと会話した場合のユーザＵの声を集音することができる。
【００３９】
音声入力部１２ｂによって集音されたユーザＵの声は、制御装置１０の記憶部に記憶された分析プログラムに基づいて分析される。そして、分析プログラムは、集音されたユーザＵの声から、通行人Ｐに対するユーザＵの心理状態を読み取る（分析する）ことができる。分析プログラムは、いわゆる感性制御技術（ＳＴ：Sensibility Technology）に基づくものであり、声から感情を認識することができる。また、ユーザＵのトーンや発話量を利用して感情を認識してもよい。
換言すれば、本実施形態の外出契機提供システムは、集音されたユーザＵの声から、ユーザＵの心理状態（感情）を分析する分析手段を備えたものとなっている。
その分析結果は制御装置１０の記憶部に記憶され、通行人Ｐが所持するＩＣタグ１１ｃの読み取り結果と併用される。すなわち、読取部１１ｂで読み取り可能なＩＣタグ１１ｃを所持する通行人Ｐが通行した場合に、その読み取り結果に応じて、外出行動を強く促すメッセージを発信したり、反対に外出行動を控える強いメッセージを発信したりすることができる。より具体的に説明すると、分析結果から、通行人ＰがユーザＵにとって会話がしやすい相手の場合には、メッセージ発信装置１２から外出行動を促すメッセージが発信され、会話がしにくい相手の場合には、外出行動を控えるメッセージが発信される。
すなわち、この音声入力部１２ｂも、読取部１１ｂおよびＩＣタグ１１ｃと共に、通行人ＰがユーザＵとの対面が許可された人であるかどうかを認識する認識手段として機能することになる。
【００４０】
なお、以上の本実施形態のメッセージ発信装置１２は、ロボット型を採用したが、これに限られるものではない。音声出力部１２ａ等をユーザ宅１の中のユーザＵに見えない箇所に配置して、ユーザ宅１自体がコミュニケーションキャラクターとしての役割を果たすようにしてもよい。また、音声出力部１２ａの他に映像出力部を備えることにより、ユーザ宅１内の部屋の壁にアニメーション映像等の映像を映し出して、ユーザＵに、映像中のキャラクターをコミュニケーションキャラクターとして認識させるようにしてもよい。
また、メッセージ発信装置１２は、ユーザＵと会話が可能なコミュニケーション機能を備えていてもよい。
【００４１】
さらに、ユーザ宅１には、図示はしないが、玄関や勝手口等の出入口付近に、ユーザＵが外出行動を起こしたかどうかを確認するための人感センサーが設置されている。
この人感センサーは、制御装置１０と情報通信可能に接続されており、ユーザＵの外出行動の有無に係る情報を蓄積することができる。
なお、本実施形態では、ユーザＵが外出行動を起こしたかどうかを確認するために人感センサーを採用したが、これに限られるものではない。例えばメッセージ発信装置１２のコミュニケーション機能を利用してもよいし、外出行動を起こしたことを制御装置１０に認識させるための他の入力手段を利用してもよい。
【００４２】
次に、図４を参照して、外出契機提供システムの動作例について説明する。なお、通行人検知装置１１による検知動作は恒常的に行われているものとする。
【００４３】
まず、道路脇設置物３ａ〜３ｅの位置に設けられた通行人検知装置１１の検知部１１ａによって、第一道路２ａと第二道路２ｂと第三道路２ｃのいずれかを通行する通行人Ｐを検知する（ステップＳ１）。
このステップＳ１においては、通行人Ｐの通行があったか否かの判断のみ行われている。通行があった場合には次のステップへと進み、通行がなかった場合には、検知動作を継続して行う。
【００４４】
通行人Ｐの通行があった場合には、通行人検知装置１１における読取部１１ｂによってＩＣタグ１１ｃの読み取り動作を開始し、検知部１１ａで検知された通行人ＰがＩＣタグ１１ｃを所持しているか、所持していないか、選別を行う（ステップＳ２）。
通行人ＰがＩＣタグ１１ｃを所持していない場合は、ステップＳ１に戻って検知動作を継続して行う。
通行人ＰがＩＣタグ１１ｃを所持している場合は、次のステップへと進む。
【００４５】
ステップＳ３では、通行人Ｐが所持するＩＣタグ１１ｃの読み取り結果から、通行人Ｐ個人の特定を行う。
上述したように、生活不活発病には、個人によってその症状に程度の差がある。また、人には交際しやすい人と、比較的交際しにくい人がいることは当然のことである。したがって、このステップＳ３で特定される通行人Ｐは、ユーザＵにとって交際しにくい人を対象とする。
すなわち、読取部１１ｂによって読み取られたＩＣタグ１１ｃの個人情報から通行人Ｐを特定し、ユーザＵにとって交際しにくい人である場合には、ステップＳ４に進み、そうでない場合にはステップＳ５に進む。
【００４６】
ステップＳ４では、メッセージ発信装置１２からユーザＵに対して外出行動を控える第二メッセージを発信する。
ユーザＵは、メッセージ発信装置１２から発信された第二メッセージを聞いた場合に、外出行動を控える選択肢を与えられたことになる。
【００４７】
ステップＳ５では、メッセージ発信装置１２からユーザＵに対して外出行動を促す第一メッセージを発信する。
ユーザＵは、メッセージ発信装置１２から発信された第一メッセージを聞いた場合に、外出行動を起こす選択肢を与えられたことになる。
メッセージ発信装置１２から第一メッセージが発信された後は、上述のような出入口付近に設置された人感センサーによって、ユーザＵが外出行動を起こしたか否かの確認が行われる（ステップＳ６）。
【００４８】
ステップＳ６でユーザＵの外出行動が確認された場合には、音声入力部１２ｂによって、ユーザＵの声が集音・記録されて、分析プログラムに基づいて分析される（ステップＳ７）。
【００４９】
ステップＳ６でユーザＵの外出行動が確認されない場合には、再度、メッセージ発信装置１２からユーザＵに対して外出行動を促す第一メッセージを発信する（ステップＳ８）。
メッセージ発信装置１２から、再度、第一メッセージが発信された後は、ユーザＵが外出行動を起こしたか否かの確認が行われる（ステップＳ９）。
ステップＳ９ユーザＵの外出行動が確認された場合には、音声入力部１２ｂによって、ユーザＵの声が集音・記録され、分析プログラムに基づいて分析される（ステップＳ１０）。
【００５０】
また、以上のような一連の動作と並行して、通行人Ｐの有無に関わらず無作為に、第三メッセージがメッセージ発信装置１２から発信されてもよい。
【００５１】
なお、以上のような外出契機提供システムの動作はあくまで一例であり、これに限られるものではない。すなわち、外出契機提供システムが、外出契機を提供する上で必要な構成を備えたものであり、その必要な構成によって可能な範囲で適宜変更されればよい。
特にユーザＵの、生活不活発病の症状に応じて適宜変更することが望ましい。
すなわち、例えば比較的症状が軽い場合には、ステップＳ２からステップＳ４の動作を省略してもよい。また、この場合は、検知部１１ａによって長時間にわたって検知される不審者を見つけやすい。
また、比較的症状が重い場合には、ステップＳ１とステップＳ４のみで動作し、第二メッセージのうち、比較的症状が重い人向けのメッセージを選択的に発信するようにしてもよい。
【００５２】
また、本実施形態では、通行人Ｐの通行があった場合に各種メッセージを発信するとしたが、通行量の程度に応じて適宜設定変更してもよい。すなわち、通行人Ｐの通行量が多い場合には、その全ての通行時にメッセージを発信する必要はなく、数回に一回程度の間隔でメッセージを発信すればよい。または、検知部１１ａによる通行人Ｐの検知を省略して、メッセージ発信回数を減らしてもよい。換言すれば、認識手段によって認識できる通行人Ｐのみを検知したタイミングでメッセージを発信するようにしてもよい。
【００５３】
以上のような本実施の形態によれば、通行人検知装置１１によって、ユーザ宅１の周囲に設けられた道路２ａ，２ｂ，２ｃを通行する人Ｐを検知することができる。そして、通行人検知装置１１による通行人検知データに基づいて、メッセージ発信装置１２からユーザ宅１内にいるユーザＵに対して、通行人Ｐに関連せず、かつユーザＵの宅外への外出行動を促す第一メッセージを生成して発信することができる。
すなわち、ユーザＵに発信される第一メッセージが、通行人Ｐに関連しないものであるため、ユーザＵを、通行人Ｐの有無を気にさせずに宅外に出すように仕向けて、通行人Ｐと遭遇させることができる。これにより、ユーザＵが生活不活発傾向にある場合に、外出行動を起こしやすくしつつ、コミュニケーションの場を提供することができる。その結果、生活不活発傾向にある、または生活不活発病が発生しやすい状況にあるユーザＵが、生活不活発病になる、または症状を悪化させるリスクを軽減できる。
【００５４】
また、通行人検知装置１１による通行人検知データに基づいて、メッセージ発信装置１２からユーザ宅１内にいるユーザＵに対して、通行人Ｐに関連せず、かつユーザＵの宅外への外出行動を控える第二メッセージを生成して発信することができる。
これによって、外出行動を促す第一メッセージと、外出行動を控える第二メッセージと、を織り交ぜてユーザＵに発信できるので、外出行動を促す第一メッセージだけが強調されることがなくなる。例えば発信されるメッセージが外出行動を促すものだけであると、ユーザＵに対して外出行動に係るプレッシャーが大きく伸し掛かる場合があるが、外出行動を控える第二メッセージも発信されれば、そのプレッシャーを和らげることができる。その結果、ユーザＵに対して、外出行動を起こそうとする意欲を湧かせやすくすることができる。
【００５５】
また、道路２ａ，２ｂ，２ｃを通行する人が、認識手段によって、ユーザＵとの対面が許可された人であると認識された場合に、外出行動を促す第一メッセージがメッセージ発信装置１２によってユーザＵに発信されるので、ユーザＵとの対面が許可された人（例えば面識のある比較的コミュニケーションを取りやすい人）が通行した時に、ユーザＵに対して外出行動を促すことができる。
また、道路２ａ，２ｂ，２ｃを通行する人が、認識手段によって、ユーザＵとの対面が許可された人でないと認識された場合に、外出行動を控える第二メッセージがメッセージ発信装置１２によってユーザＵに発信されるので、例えばユーザＵとの対面が許可されていない人（例えば面識がないか、比較的コミュニケーションを取りづらい人）が通行した時に、ユーザＵに対して外出行動を控えさせることができる。
これによって、ユーザＵとの対面が許可されていない人をユーザＵに対面させることを防ぎつつ、対面が許可された人をユーザＵに対面させることができるので、例えば対面が許可されていない人をユーザＵに無理やり対面させるようなことが無くなる。したがって、ユーザＵに対して強制性を感じさせないようにして外出行動を促すことができる。
【００５６】
また、メッセージ発信手段は、ユーザＵによってコミュニケーションキャラクターとして認識されるメッセージ発信装置１２を含んで構成されているので、ユーザＵの、メッセージ発信装置１２に対する親近感が増すことになる。そのため、メッセージ発信装置１２から発信される各メッセージは、ユーザＵにとって影響力の高いものとなり、ユーザＵが、より外出行動を起こしやすくなる。
【００５７】
また、メッセージ発信装置１２は、無作為に、外出行動を促す第三メッセージを生成して発信可能に設定されているので、決まりきった時間に外出行動を促すメッセージを発信することが無くなり、ユーザＵに対して、外出行動を促すメッセージの発信がルーチン化していると感じさせないようにすることができる。そのため、ユーザＵは、発信されるメッセージを重視し、耳を傾けるようになるので、結果的に、ユーザＵに対して、外出行動を起こそうとする意欲を湧かせやすくすることができる。
また、ユーザ宅１のある場所が人通りの少ない道路２ａ，２ｂ，２ｃに囲まれた場所である場合には、このように無作為にメッセージが発信されることで、外出契機を増やすことができる。
【符号の説明】
【００５８】
Ｕ  ユーザ
Ｐ  通行人
１  ユーザ宅
２ａ  第一道路
２ｂ  第二道路
２ｃ  第三道路
３ａ  道路脇設置物
３ｂ  道路脇設置物
３ｃ  道路脇設置物
３ｄ  道路脇設置物
３ｅ  道路脇設置物
１０  制御装置
１１  通行人検知装置
１１ａ  検知部
１１ｂ  読取部
１１ｃ  ＩＣタグ
１２  メッセージ発信装置
１２ａ  音声出力部
１２ｂ  音声入力部
【図１】
0006654415.tif 000002
【図２】
0006654415.tif 000003
【図３】
0006654415.tif 000004
【図４】
0006654415.tif 000005